(57)【要約】【解決手段】  光触媒、エレクトレット、及び疎水表面が幾何学的に一体化されて、自己洗浄のエアーフィルタ、布、または表面が得られる。これらは表面及びアパレルに取り込まれて、吸収された化学物質、バクテリア、菌、ウイルス及び微粒子における光触媒、水、光の作用によって、これらの表面は、ウィッキング，殺菌，脱臭、洗浄される。前記光触媒は、電気的に接続される電気浸透圧コントロール及び電気エネルギーの出力を得ることができる。これにより、化学物質、バクテリア、菌、ウイルスからの保護、そして、そして、アパレル、構造、エアーフィルタ、そして特に保護めがねにおけるより大きな湿度調節と快適さに繋がる。【選択図】      なし【特許請求の範囲】
【請求項１】
気体透過性の装置であって、
光触媒を有する少なくとも１つの表面と、エレクトレットを有する少なくとも他の１つの表面とを含む複数の表面と、
前記光触媒を有する前記少なくとも１つの表面を前記光触媒を活性化するために十分な光量子に晒すための少なくとも１つの光源と、
を含む構造を有し、
前記構造により、微粒子のろ過、液体のウィッキング、及び前記表面の殺菌と脱臭が可能になることを特徴とする気体透過性の装置。
【請求項２】
請求項１記載の装置において、前記構造は気体に接触する隣接構造であり、前記光触媒と、表面自由エネルギー勾配と、前記エレクトレットとを有することにより、フィルタ微粒子をろ過し、液体をウィッキングし、光量子への露出により殺菌及び脱臭するものである。
【請求項３】
請求項１及び／または２記載の装置において、前記液体のウィッキングは、水または湿分を有するものである。
【請求項４】
前記の任意の請求項記載の装置において、この装置は、更に
前記光触媒上に水を有するものである。
【請求項５】
前記の任意の請求項記載の装置において、前記光量子に露出される光触媒は、前記水の存在下で活性化されるものである。
【請求項６】
前記の任意の請求項記載の装置において、この装置は、更に、
空間的に分離されるが近接して配置される前記表面の異なるエリア上に異なる特性を有するものである。
【請求項７】
前記の任意の請求項記載の装置において、この装置は、更に、
前記異なる特性を有する前記異なるエリアによって形成される構造の表面にわたって水付着勾配を更に有するものである。
【請求項８】
前記の任意の請求項記載の装置において、前記光触媒を有する少なくとも１つの表面は親水性領域である。
【請求項９】
前記の任意の請求項記載の装置において、前記エレクトレットを有する少なくとも他の１つの表面は疎水性領域である。
【請求項１０】
前記の任意の請求項記載の装置において、前記親水性領域は前記疎水性領域に近接するものである。
【請求項１１】
前記の任意の請求項記載の装置において、この装置は、更に、
微粒子と接触して、微粒子を取り除くための液体を有するものである。
【請求項１２】
前記の任意の請求項記載の装置において、前記液体は前記エレクトレットに引きつけられた微粒子と接触して、これを取り除くための水である。
【請求項１３】
前記の任意の請求項記載の装置において、前記構造は、微粒子をフィルターし、水をウィッキングし、殺菌及び脱臭するアパレルである。
【請求項１４】
前記の任意の請求項記載の装置において、前記構造は、微粒子をフィルターし、水をウィッキングし、殺菌及び脱臭するアイウェアの部分である。
【請求項１５】
前記の任意の請求項記載の装置において、前記構造はエアーフィルターである。
【請求項１６】
前記の任意の請求項記載の装置において、前記エアーフィルターは定期的に液体で洗浄可能である。
【請求項１７】
前記の任意の請求項記載の装置において、前記エアーフィルターは自己洗浄式である。
【請求項１８】
前記の任意の請求項記載の装置において、前記液体は、水を有する液体である。
【請求項１９】
前記の任意の請求項記載の装置において、少なくとも１つの前記表面は多孔性である。
【請求項２０】
前記の任意の請求項記載の装置において、この装置は、更に、
前記多孔性表面に隣接する蒸気水源を有するものである。
【請求項２１】
前記の任意の請求項記載の装置において、前記蒸気水源は前記多孔性表面に隣接する動物である。
【請求項２２】
前記の任意の請求項記載の装置において、前記蒸気水源は前記多孔性表面に隣接する水吸収剤またはウィッキング剤である。
【請求項２３】
前記の任意の請求項記載の装置において、前記蒸気水源は前記多孔性表面に隣接する湿分選択性透過膜である。
【請求項２４】
前記の任意の請求項記載の装置において、この装置は、更に、
電気回路及び前記電気回路を有する電気カップリングを有し、前記光触媒は前記電気回路に電気的に接続されるものである。
【請求項２５】
前記の任意の請求項記載の装置において、この装置は、更に、
前記構造表面のうちの１つの上に電解質を有するものである。
【請求項２６】
前記の任意の請求項記載の装置において、電流がイオン抗力によって生成され、前記電解質を通過して、前記水を移動させる。
【請求項２７】
前記の任意の請求項記載の装置において、電流は前記光触媒上の水を通過して流れ、前記水を移動するものである。
【請求項２８】
前記の任意の請求項記載の装置において、この装置は、更に、
電極を有し、前記電極中の電流は化学物質を分解し、前記構造を脱臭及び殺菌するものである。
【請求項２９】
前記の任意の請求項記載の装置において、前記電流は、加熱、光ろ過、発光、または光反射を行うものである。
【請求項３０】
前記の任意の請求項記載の装置において、前記電流はイメージディスプレイを提供するか、または美的外観を作成するものである。
【請求項３１】
前記の任意の請求項記載の装置において、前記電流は、化学物質、湿気、凝結、及び光を感知するものである。
【請求項３２】
前記の任意の請求項記載の装置において、前記電流は、電気器具を作動するための十分なエネルギーを提供するものである。
【請求項３３】
前記の任意の請求項記載の装置において、前記構造はアパレルである。
【請求項３４】
前記の任意の請求項記載の装置において、前記アパレルは、ジャケット、帽子、包帯、ズボン、スエットバンド、腕時計、人工補装具、スキーマスク、靴下、ブーツ、手袋、呼吸フィルタ、呼吸装置、耳当て、防護服、及びこれらの組み合わせからなる群から選択されるものである。
【請求項３５】
前記の任意の請求項記載の装置において、前記構造は機械、建物、及び車両の空気ろ過、脱臭、及び殺菌を可能にする。
【請求項３６】
前記の任意の請求項記載の装置において、前記構造は、テント、窓カーテン、猫用のトイレ、家具、美術品、人工植物、壁装飾、掲示板及び車室内ぎ装の空気ろ過、脱臭、及び殺菌を可能にする。
【請求項３７】
アイウェア装置であって、液体のウィッキングと前記アイウェアの殺菌と脱臭のために、前記光触媒と、水付着勾配表面と、前記光触媒を活性化するための十分な光量子に前記光触媒を晒すための少なくとも１つの光源とを含む構造を有する、アイウェア装置。
【請求項３８】
請求項３７記載の装置において、前記アイウェアは防護ゴーグルであり、前記構造の表面は防護ゴーグルの通気孔である。
【請求項３９】
請求項３７及び／または３８記載の装置において、前記少なくとも一つの光源は、前記光触媒を活性化するための十分なエネルギーの光量子を有する太陽光線である。
【請求項４０】
前記の任意の請求項記載の装置において、前記構造の表面はゴーグルのレンズである。
【請求項４１】
前記の任意の請求項記載の装置において、前記構造の表面はゴーグルのフレームである。
【請求項４２】
前記の任意の請求項記載の装置において、前記構造の表面は前記アイウェアのレンズ及びフレームである。
【請求項４３】
前記の任意の請求項記載の装置において、前記水付着勾配表面は疎水性と親水性の表面を更に有し、前記表面間の差により前記アイウェアの内部から前記アイウェアの外部または周辺部に水を導き、移動させるものである。
【請求項４４】
エアークリーナーであって、
多孔性の表面と、
水源と、
前記多孔性の表面の近傍に水蒸気を提供する選択性透過膜と、
前記膜上の光触媒と、
前記エアークリーナーを殺菌及び脱臭するために、前記光触媒を活性化するための十分な光量子に前記光触媒を晒すための少なくとも１つの光源と
を含む構造を有するエアークリーナー。
【請求項４５】
請求項４４記載の装置において、前記光源は、青色発光ダイオードまたは蛍光灯である。
【請求項４６】
請求項４４及び／または４５記載の装置であって、前記光源は水を有するものである。
【請求項４７】
前記の任意の請求項記載の装置において、この装置は、更に、
対流空気フロー、ポンプ、ファン、及びこれらの組み合わせからなる群から選択される空気フローを有するものである。
【発明の詳細な説明】
【技術分野】
【０００１】
基礎出願
本出願は、２００４年２月２５日付け出願の米国仮出願第６０／５４７，０７３号に優先権を主張するものである。
【背景技術】
【０００２】
アパレルには、脱臭、殺菌、通気が必要である。アパレルとは、アイウェア、靴、靴下、手袋、ジャケット及び帽子などである。人体は、壊死した皮膚、油、バクテリア、ウイルス、血液、汗、及び水分を放出する。アパレルは一般に、水分を除去し、使用者を熱から防護し、且つ使用者を汚れ及び光から保護する。アパレルは周囲環境において、油、アンモニア、炭化水素、芳香族炭化水素、水、塩、土、バクテリア、ウイルス、及び菌等の幅広い汚れに晒される。アパレルを装着した人の暖かく湿った状態、例えば、人頭のゴーグルのフェースガスケット、空気入出口、ヘッドバンドは、バクテリア、菌コロニーの維持及び増殖、またウイルスの保存に理想的な場所となりえる。バクテリア及び菌コロニーの存在及び増殖は、アパレルにおいて臭気の発生になる可能性がある。バクテリア、菌、及びウイルスの存在により、着用者の体に感染が広がり、接触する他の人または動物に感染が広がる可能性がある。
【０００３】
二酸化チタンのような光触媒は、３．２ｅＶ以上のエネルギーの青色光子と、酸素と水の存在下において、前記光触媒の表層に吸収された有機化合物を分解及び酸化可能であることが分かっている。これらの光触媒は、光触媒と接触するバクテリア、菌、及びウイルスも破壊する。光触媒反応及びその効率性は、前記光触媒の表面に水が存在する場合に大幅に向上する。二酸化チタンがこの作用をするためには、４０％を超える相対湿度が必要とされる。前記光触媒表面の化学反応性により、これら表面は極めて親水性になる。光触媒を直射日光または青色光に頻繁に露出されるアパレルと組み合わせることによって、様々な自己洗浄及び殺菌特性が達成可能である。
【０００４】
アパレルの表面を脱臭及び殺菌する従来の方法は、高温殺菌、石鹸、及び水による洗浄、塩、塩素またはオゾン等の反応性化学物質への液浸、ホルムアルデヒドなどの生物致死剤の緩徐放出、電子または荷電粒子、Ｘ線、及び紫外線の放射である。
【０００５】
殺菌温度までアパレルを加熱することは、プラスチック要素を溶かしたり、材料を流出、劣化、または蒸発させて製品を破壊する可能性がある。
【０００６】
衣類に生物致死剤のような殺菌技術を取込むことにより衣類から刺激臭が放出され、これは使用者に危険であり、また皮膚炎を起す可能性がある。アパレルに吸収された化学物質からの臭気が残留することにより、動物及び人間によって感知可能なアパレルを作ることになり、このことは特に軍事及び狩猟で重要な点である。
【０００７】
定期的なクリーニングは多くのアパレル製品で通常行われることではあるが、不便であったり、過剰エネルギーの消耗にもなりえる。洗浄は、アパレルの使用を中断させ、接着を変化させたり、溶剤をアパレル中に残すことにより、アパレルの性能を損失させる可能性がある。水分除去において重要である疎水または親水性表面性質は、石鹸洗浄によって損失する可能性がある。水が表面中にまたは表面上に残される場合、熱及び電気絶縁の性質が劣化する可能性がある。洗浄過程は、接着剤が薄膜でコートされたり、必要な化学薬品の成分を溶かすことによって接着剤のような接合材質を損失させる可能性がある。
【０００８】
曇り止めするコーティングのような成分の幾つかは、概して吸水性であるので、長時間水に浸けられると軟化し、レンズ表面への付着性を失う可能性がある。ゴーグルの二重レンズは、空気層を含んでおり、浸漬クリーニングの際に水及び化学物質が入り込む可能性がある。これは、二重レンズの透視度及び絶縁性質を破壊する。エレクトロニクス、電池、及び燃料電池のような器具がアパレルに組み込まれている場合、反応性の化学物質に水をかけることは、回路を短絡させて前記器具の性能を破壊したり、劣化させるので、洗浄は非実用的である。
【０００９】
連続放射線照射または定期的な照射を取り入れることは、重量を増し、不都合で、費用がかかり、使用者へ有害となる可能性も有する。プラスチック及びゴムのような材料は、エネルギー性放射で分解する可能性がある。アパレルの機能は、使用者を紫外線及び放射線から保護するためのものであることがしばしばあるが、その場合、前記アパレルの内部表面は一般的な紫外線による殺菌から保護されているので、バクテリア、及び菌増殖に適している。
【００１０】
高湿度、暖かさ、及びアイウェアと体が接触する状態は、バクテリア、菌及びウイルスの維持し養うのに理想的である。アイウェアに吸収された臭いは使用者の鼻の近くに位置するのでより顕著である。アイウェアが体と密着すること、また目、鼻及び口の近くに位置することにより、感染を広げまたは維持し、且つ使用者を刺激しやすいものである。
【００１１】
これら表面を殺菌する従来の方法は、塩素処理水、次亜塩素酸ソーダ（漂白）、石鹸、及び／または水等の化学物質洗浄液にアパレルを浸漬する方法である。これは、刺激性の化学物質がアパレルに残留し、アパレルの変質、またはアパレルが洗浄水で湿ったままの状態になる可能性がある。光触媒が、脱臭及び殺菌する特性を持っていることは以前から周知のことである。湿潤及び水との相互作用の性質も実証されている。光触媒の他の効果は、光触媒の表面に活性化学物質を生成した後に表面自由エネルギーが高くなり、高付着（高表面自由エネルギー）を生じさせることである。光触媒表面は、親水性になることが予期される。水付着勾配は、表面上の水の操作を行うために利用されてきており、ウィッキングの単なる毛管作用を超えた液状水分を移動させるのに使用できる。
【００１２】
水付着効果を高めるために高い表面積表面を形成する特質は、Ｃｏｏｌ  Ｍａｘ（登録商標）（ＤｕＰｏｎｔ  Ｃｏｒｐ．，１００７  Ｍａｒｋｅｔ  Ｓｔｒｅｅｔ，Ｗｉｌｍｉｎｇｔｏｎ，ＤＥ，１９８９８）のような製品で水の毛管作用チャネルを提供する成型ポリエステル繊維のような材料において利用されてきている。エレクトレット及び静電気的ろ過の性質は、エアーフィルターシステムにおいて利用されてきた。
【００１３】
水付着勾配及び自己洗浄表面の例は、蓮の花、苺の葉などの特定の植物システムで観察され、疎水性表面毛のために高度の疎水性表面を有する。これらの表面は、水滴が表面を打つとき、水滴によって埃が移動することで、埃を取り除く効果を有する。
【００１４】
従来の装置
米国特許第５，６９０，９２２号明細書のＭｏｔｏｙａ  Ｍｏｕｒｉらの「Ｄｅｏｄｅｒｉｚａｂｌｅ  Ｆｉｂｅｒ  ａｎｄ  Ｍｅｔｈｏｄ  ｏｆ  Ｐｒｏｄｕｃｉｎｇ  ｔｈｅ  Ｓａｍｅ」。この特許は、アパレルに殺菌及び脱臭特性を与えるために、二価金属三価金属水酸化物のリン酸塩を有する繊維の含浸と、繊維を有する光触媒とを開示している。この特許は、繊維に帯電防止剤を添加することに言及している。非布表面上での光触媒またはウィッキングの特性の使用には言及していない。これは、エレクトレット特性と関連して光触媒を使用することには言及していない。
【００１５】
Ｈｏｎｄａらの米国特許第６，５９２，８５８Ｂ１号明細書「Ｆｉｂｅｒ  Ｓｔｒｕｃｔｕｒｅ  Ｈａｖｉｎｇ  Ｄｅｏｄｏｒｉｚｉｎｇ  ｏｒ  Ａｎｔｉｂａｃｔｅｒｉａｌ  Ｐｒｏｐｅｒｔｙ」。この特許は、脱臭、抗細菌性、抗真菌性、及び抗汚れ特質を得るために、光触媒酸化物が塗布される複雑な繊維構造を記載している。この特許は、また、前記光触媒と一緒にシリコーン酸化物、及び前記光触媒と一緒にゼオライトの使用を利用している。光触媒酸化物は、アルキル・ケイ酸エステル樹脂、シリコーン樹脂、及びフッ素樹脂等の様々な樹脂を有する繊維に付着される。この特許は、接着剤の汗及び水の吸水性質に言及している。しかし、接着剤または光触媒の静電的性質には言及していない。
【００１６】
Ｇｅｏｒｇｅ  Ｂｅｎｄａらの米国特許第６，６８５，８９１Ｂ２号明細書「Ａｐｐａｒａｔｕｓ  ａｎｄ  Ｍｅｔｈｏｄ  ｆｏｒ  Ｐｕｒｉｆｙｉｎｇ  Ａｉｒ」。空気ろ過が、空気殺菌器及びフィルターを駆動するためのランプ照明触媒からの熱気流対流と共に記載される。バクテリアを殺すヒドロキシルイオンを生成するために、４０％以上の相対湿度、及びドープした場合の３０％の相対湿度が記載される。湿度を維持するために、小さな水の貯蔵器及び水のウィッキング、または他の加湿手段がオプションとして記載されている。より大きい微粒子を除去するための任意のフィルタについて言及される。この特許は、静電またはアパレルへの適用については言及していない。
【００１７】
Ｂｒａｄ  Ｒｅｉｓｆｅｌｄらの米国特許出願第２００３／０１８０２００  Ａｌ号明細書「Ｃｏｍｂｉｎｅｄ  Ｐａｒｔｉｃｌｅ  Ｆｉｌｔｅｒ  ａｎｄ  Ｐｕｒｉｆｉｅｒ」。空気ろ過に関するこの特許は、空気調節及び暖房システム用の機械的濾過、脱臭、及びフィルターの定期的な洗浄と処分の組み合わせについて記載している。この特許は、親水性、または疎水性の特質、水のウィッキング、または静電について言及していない。
【００１８】
Ｆｕｊｉ  Ｔｏｉｓｈｉｋａｉの米国特許第６，６２０，３８５Ｂ２号明細書、「Ｍｅｔｈｏｄ  ａｎｄ  Ａｐｐａｒａｔｕｓ  ｆｏｒ  Ｐｕｒｉｆｙｉｎｇ  ａ  Ｇａｓ  Ｃｏｎｔａｉｎｉｎｇ  Ｃｏｎｔａｍｉｎａｎｔｓ」。この特許は、ガス状汚れ質を分解するための光触媒部と、浮遊媒塵を濾過するためにエレクトレットを使用するＨＥＰＡフィルターの、２つの個別の要素を使用する。Ｔｏｉｓｈｉｋａｉは、適切な光触媒の範囲、変換可能な汚れ及び光触媒の毒物を記載する。静電帯電及び誘引、及び炭化水素粒子の捕集により微粒子が濾過されることが記載される。前記エレクトレットを有するＨＥＰＡフィルターは、前記システムの光触媒部と分離している。この特許は親水性または疎水性の性質、水のウィッキング、水を使った洗浄、または光触媒表面の強化については言及していない。
【００１９】
Ｋｏｈａｙａｓｋｉ  Ｍａｓａｋｉらの米国の特許出願第ＵＳ  ２００３／０１７９４７６  Ａｌ号明細書、「Ａｎｔｉ−Ｆｏｇｇｉｎｇ  Ｅｌｅｍｅｎｔ  ａｎｄ  Ｍｅｔｈｏｄ  ｆｏｒ  Ｆｏｒｍｉｎｇ  ｔｈｅ  Ｓａｍｅ」。この特許は、光触媒の湿潤特性を利用するもので、光触媒及び固体のポリマー・ペイントを使用して防曇性表面を形成する。この特許は、２００°Ｃで光触媒を有する防曇性コーティングを形成することを記載する。しかし、親水性勾配、抗菌性、または静電気的特質については記載していない。
【００２０】
Ｈａｙａｋａｗａ  Ｍａｋｏｔｏらの米国特許出願第ＵＳ  ２００２／００１６２５０  Ａｌ号明細書、「Ｍｅｔｈｏｄ  ｆｏｒ  Ｐｈｏｔｏｃａｔａｌｙｔｉｃａｌｌｙ  Ｒｅｎｄｅｒｉｎｇ  ａ  Ｓｕｒｆａｃｅ  ｏｆ  ａ  Ｓｕｂｓｔｒａｔｅ  Ｓｕｐｅｒ  Ｈｙｄｒｏｐｈｉｌｉｃ，  ａ  Ｓｕｂｓｔｒａｔｅ  Ｗｉｔｈ  ａ  Ｓｕｐｅｒ  Ｈｙｄｒｏｐｈｉｌｉｃ  Ｐｈｏｔｏｃａｔａｌｙｔｉｃ  Ｓｕｒｆａｃｅ，  ａｎｄ  Ｍｅｔｈｏｄ  ｏｆ  Ｍａｋｉｎｇ  Ｔｈｅｒｅｏｆ」。この特許は、表面が降雨に晒されたときに自己洗浄する光触媒表面について記載する。この特許は、鏡レンズの曇り及び防曇剤としての湿潤フィルムの目的について言及する。数ナノメータ程度のコーティング厚さが表面の超親水性を提供するのに十分であることを発見している。この特許は、コーティングを使用して、熱交換表面の上で水を分散し、流体フロー熱交換の遮断による水の凝縮を防ぐ。この特許は、親水勾配、抗細菌性または帯電性の特質には言及していない。
【００２１】
これらの引用文献において、アパレル中のエレクトレットと関連して光触媒を使用するいかなる説明または動機も記載されていない。
【発明の開示】
【発明が解決しようとする課題】
【００２２】
本発明は、上述した欠点を鑑みて、長年の問題へのユニークな解決を提供するものである。  
【課題を解決するための手段】
【００２３】
本発明は、いくつかの物理的機能を構成要素に組み合わせ且つ最適化させることによって、好ましい効果を達成するものである。本発明は、光触媒、水付着差表面、及びエレクトレットを組み入れて、アイウェア、エアークリーナ及びアパレル製品を強化し、ろ過し、水ウィッキングし、殺菌し、及び脱臭する。
【００２４】
極めて疎水性の材料（ポリプロピレン及びケイ素ゴム）であることが多いエレクトレットについての我々の研究では、これらに引き寄せられた微粒子は水によって取り去られることが示されている。これは、水滴の直近の電界は、水の高比誘電率とは逆に低下し（２５℃において、水の比誘電率は、空気の１に対して７３である）、電界を低下させる。前記微粒子の表面エネルギーは、湿潤及び水滴への取込みによって低下し、前記微粒子は水滴に引き込まれる。一旦水及び微粒子が取り去られると、前記電界は回復する。
【００２５】
本発明は独自に光触媒及びエレクトレット効果をユニークな方法で組み合わせて、アイウェア、エアークリーナ、及びアパレル製品中で使用されるシステムを有利に作成し、ガス交換、液状水分、微粒子を管理、脱臭、殺菌、及び使用者に所望される快適度を作るものである。
【００２６】
我々の同時係属中の米国出願第１０／３１７，０６５号明細書「Ｎｏｎ−Ｆｏｇｇｉｎｇ  Ｇｏｇｇｌｅｓ」（ここで言及することにより、全文が本明細書に組み込まれたものとする）は、水を引きつけて、ウィッキングを起すためにゴーグル表面を濡らすには、水吸収表面が必要であることを指摘している。この出願は、表面湿潤剤として固体高分子電解質を使用して説明している。この出願は、前記コーティングの光触媒特性、または前記コーティングを通じたイオン抗力については記載していない。
【００２７】
我々の同時係属中の米国出願第６０／４１６，２７１号明細書「Ｅｌｅｃｔｒｏｓｔａｔｉｃ  Ｆｉｌｔｅｒｅｄ  Ｅｙｅｗｅａｒ」（ここで言及することにより、本明細書に組み込まれたものをする）において、埃、バクテリア、ウイルス、及び菌をろ過し、収集するためにエレクトレット及び静電を使用している。我々は、エレクトレットとの関連で使用される光触媒については記載しなかった。
【００２８】
酸化チタンのような光触媒は、ゴーグルなどのアパレル製品の表面に取り込まれて、前記光触媒表面上に吸収された化学物質を分解及び酸化するものであるが、これは、十分なエネルギーを有する光の吸収によって起こり、前記光触媒に電子正孔対を生成する。電子正孔対は、水と接触する表面の分解、及び前記光触媒表面上において後続の反応性化学物質を生じさせる。前記被覆表面は、エアーフィルター、通気孔、ウィッキング表面、防護カバー、基礎材料上の層として機能し、前記基礎材料と体用の紫外線保護フィルタとして機能可能である。
【００２９】
前記光触媒は、親水性表面であって、疎水性層に取り込まれるか、または隣接して２つの表面間の水付着勾配による、水移動ルートとして機能可能である。前記光触媒表面は、また、エレクトレットまたは静電帯電システムに組み入れられ、埃、バクテリア、菌及びウイルスを引きつけて保持し、その後、水付着勾配上の水によって、高凝着を有する前記光触媒表面に移動され、光触媒プロセスによって破壊される。
【００３０】
前記光触媒表面は、光触媒上の表面電荷及びその後の表面上の反応性化学物質の生成により、高水付着（表面自由エネルギー）を有する。通常、周囲表面を疎水性にする油沈着物は、光触媒プロセスにより表面から取り除かれるので、自然の表面親水性が維持される。この濡れ能力は、ゴーグルの通気孔の内部のような表面を濡らすために有利に用いられ、前記通気孔から凝結水がウィックキングされて、ゴーグルの周辺部に出ることを可能にする。
【００３１】
アパレルにおいて光触媒を効果的にするには、汚れを捕らえ、光と湿気を取り入れることができる場所に配置する。ゴーグルでの適応において、光触媒コーティングは、通気孔の外側の縁に位置する。前記光触媒の沈着の形状及び適用は、ゴーグルまたはアパレル中の通気孔の疎水性及び静電性のエリアと調整して、濾過、水除去及び殺菌分解機能が達成可能である。
【００３２】
光触媒微粒子またはコーティングはアパレルの表面、または有効な電子正孔対を生成する光子がアクセス可能な状態であれば、前記製品中の層内に埋め込むことが可能である。疎水、エレクトレット及び光触媒の領域を有する通気孔または多孔部等の単一の要素を塗布することにより自己洗浄効果を達成できる。前記光触媒は、水付着を変えて、その疎水性を低下させることが可能な汚れから疎水性表面を保護する。
【００３３】
前記エレクトレットの表面は、エレクトレットの電界を完全に覆わないが、微粒子がエレクトレット表面に引き付けられるときに光触媒と効果的に接触するのに十分な近さになる、光触媒の微粒子の断続的な層によってコートすることが可能である。疎水及び親水層の溝削り、プリントされたストライプ、チャネル、光触媒繊維、エレクトレット繊維、及びウィッキング繊維の織布、及び／またはその類似品が、自己洗浄及び耐汚損効果を達成するために使用できる。
【００３４】
含浸された布または膜の密着層が、前記効果を得るために使用されてもよい。ゴーグルガスケット、フィルタ、包帯などでの肌に接触する用途のための布の重層は、肌に、または肌の近辺に接触する疎水層を有すると同時に、エレクトレット層及び／または光触媒層を外側に有する。前記光触媒との接触から生じる皮層刺激を避け、且つ肌の表面から水を取り除くために、重層構造が使用され、前記肌と接触する表面は、最も疎水性でより少ない触媒作用の表面が使用され、前記光触媒は外側表面に配置される。
【００３５】
包帯の場合、傷への付着を最小限に抑えることが所望されるので、疎水性の接触が重要になる。アパレルを洗浄し、前記エレクトレット及び前記光触媒上の微粒子の蓄積を取り除くために、前記エレクトレットと接触する、汗、凝結水、またはスプレー水、または液体水滴の流れが前記エレクトレットから前記微粒子を引き離すことができる。これは、水が２５℃で１の比誘電率を有する空気と比較して７８の比誘電率を有するので、水の接触により前記電界は７８の因子で低下する。
【００３６】
このように、前記電界は、本発明により大幅に低下し、前記微粒子は水付着により水の中に引き寄せされる。前記水は、アパレルの外側にウィッキングされ、前記微粒子と一緒に放出されることが可能である。これはアパレルが自己脱落及び耐汚れになることを意味し、これは、蓮華や苺の葉のように、雨水によって植物の表面が洗浄されるという植物で観察される現象に類似するものである。
【００３７】
基礎回路を構築し、システムを通して電気を通すことにより、イオン浸透圧抗力を達成し、表面を通じまたは上で水を移動させることが可能である。光触媒微粒子間の結合剤は、電解質であることも可能である。
電圧を前記材料に印加して、イオン抗力によって能動的に水を動かすことができる。前記光触媒の電気化学的効果を、印加電圧によって起すか、または強化することが可能である。
【００３８】
光触媒は半導体であるので、光起電力素子としてそれらを電気的に接続し、有用な電気を生成することが可能である。電解質が前記光起電力素子間に存在するか、または電極間に電極電流が存在する場合、イオン電流抗力によって水及び汗が移動可能である。収集された少量の電気エネルギーで、時計、ラジオ、液晶ディスプレイまたは光等を作動するために使用できる。
【００３９】
アパレルの変色及び不透明度は、また、前記光触媒層に埋め込まれる光起電力によって駆動させることができる。内在の電極を有する前記光触媒層には、液晶材料が組み込まれ、光ろ過または有用なディスプレイに使用可能な光または発光素子の偏光に影響を与える。光触媒の印刷パターンは、所望の色及び外観効果を得るために使用することができる。
【００４０】
前記構造には、活性炭またはゼオライトなどの化学物質吸収剤を組み入れて、前記光触媒が青色光に晒されて且つ汚れを分解するのに十分な湿気を有するまで汚れを保持することもできる。前記汚れの露出が、光触媒の処理率を超えるような場合に、前記化学吸収剤はバッファとして機能することができる。
【００４１】
低湿度環境及び用途において、相対湿度が４０％より低くなる場合、光触媒の性能は通常低下する。湿気源として、加熱水、スプレー水、水で濡らされたウイッキング材料、または液体または水蒸気を含む選択性透過膜も可能である。肌に近接するアパレル用途では、前記光触媒の表面上の空気の湿分は、通常、前記光触媒の表層上で４０％を超える相対湿度を得るのに十分である。これに限定されるものではないが、例えばエアーフィルターでの適用では、前記光触媒の表面で加湿が必要である。ウレタン膜またはシリコーン膜のような選択性透過膜は、受動的且つ有効な方法で前記光触媒に十分な水蒸気を提供し、沸騰、スプレーまたは湿気のウィッキング供給によって生じる凝結生成の問題を回避することができる。この用途に有用な選択性透過膜は、液体水分は通さないが、水蒸気だけを通す膜である。幾つかの非限定例として、ウレタン膜、シリコーンゴム膜、多孔性のポリプロピレン膜、多孔性のセラミック膜及び多孔性のポリ四フッ化エチレン（ＰＴＦＥ）膜がある。
【００４２】
この技術の他の適用には、布が使用され、前記光触媒を励起するのに十分な光に露出され、前記光触媒を活性化するために十分な湿度を有するもので、自己クリーニング、空気ろ過、清浄な空気の交換または脱臭の必要がある用途などである。例としては、テント、エアーフィルター、ネコ箱エアークリーナ、アイウェア、防護服、人工補装具、包帯、手袋、靴、衣類、家具、テント、人工植物、装飾物、窓カーテン、カーペット及び車室内ぎ装、壁表面、及び、掲示板がある。本発明のこれらの目的及び特徴、及び更なる、他の目的及び特徴は、上記及び下記の明細書、請求の範囲及び図面を含む本明細書の開示で明白である。
【発明を実施するための最良の形態】
【００４３】
図１において、たとえば、ゴーグル、防護服または保護された空気取入口において使用されるＶ字形通気孔が示される。この通気孔１は、シリコーンゴム、ポリプロピレンまたはポリスチレン、または適切な材料（金属、金属繊維プラスチックまたはゴムの複合材料を含む）から成形されて作られる。前記シリコーンゴム、ポリプロピレン、ポリスチレン及び／または適切な材料は、エレクトレット４である。成形された形状１は、通常、直接入射をブロックし、高空気流速が可能なように形成される。
【００４４】
前記構造１の内部において、前記エレクトレット４は荷電微粒子及び埃１０６を引きつけて、前記エレクトレット４の表面上に微粒子１０７を保持する。前記Ｖ字形チャネル３が金属から作られる場合は、シリコンゴム・コーティングを金属部材に塗布して、エレクトレット層４を前記金属に提供することができる。例えばポリ四フッ化エチレン（ＰＴＦＥ）のような疎水性コーティング２が、前記構造１の一方側にプラズマ処理によって沈積される。前記疎水性コーティング２は、前記Ｖ字型１のフローチャネル３に部分的に侵入するだけである。
【００４５】
前記疎水フィルム２の反対側、及び、通常、前記通気孔１の外側に、二酸化チタン微粒子等のような光触媒５が、シリコーンゴムのようなバインダーと一緒にスプレー沈積されるか、または前記二酸化チタンはスパッタリング堆積される。特殊コーティングの１つの例は、二酸化チタンアナターゼ形の３２ナノメートルの微粒子（Ａｌｆａ  Ａｅｓａｒ，  ２６  Ｐａｒｋｒｉｄｇｅ  Ｒｏａｄ，Ｗａｒｄ  Ｈｉｌｌ，ＭＡ，  ０１９３５−６９０４）をＮａｆｉｏｎ（登録商標）（Ｓｏｌｕｔｉｏｎ  Ｔｅｃｈｎｏｌｏｇｙ，  Ｉｎｃ．，ＰＯ  Ｂｏｘ  １７１，Ｍｅｎｄｅｎｈａｌｌ，ＰＡ，１９３５７）と混ぜた混合物である。溶解剤は蒸発して、０．０３〜５ミクロンの厚さのフッ素重合体（ｆｌｕｒｏｐｏｌｙｍｅｒ）電解質の薄膜に囲まれた触媒を残す。代わりの市販のスプレーコーティングは、ＴＰＸｓｏｌ（Ｇｒｅｅｎ  Ｍｉｌｌｅｎｎｉｕｍ，  Ｉｎｃ．，２０５３９  Ｅ．Ｗａｌｎｕｔ  Ｄｒ．，Ｓｕｉｔｅ  Ｂ，Ｄｉａｍｏｎｄ  Ｂａｒ，ＣＡ，９１７８９）である。
【００４６】
この堆積物は、前記Ｖ字型の前記フローチャネル３を部分的にのみコートする。前記通気孔構造１において、金、白金、パラジウム、酸化スズ、酸化亜鉛またはニッケルの電極１１１、１１２が前記通気孔の表面に形成するか、表面上にメッキする。これらの電極は光触媒コーティング５でコートされて、前記通気孔の表面にわたって、または通気孔１を通して、電気化学セルが作られる。外部回路１１３を前記電気化学セルに接続して、前記電極１１１、１１２間で電圧を生成するか、または前記電気化学セルからの電圧及び電流を利用することができる。前記通気孔中のこれらの前記電気化学セルは、化学または湿気診断手段としてエレクトロニクス１１３と一緒に構成されてもよい。
【００４７】
操作の間、空気は前記Ｖ字型１を通って流れる（１０５、１０８、１０９）。通常、荷電された小さい埃及び微粒子１０６は、前記エレクトレット４の電界によって引きつけられて、前記エレクトレット表面４によって保持される。より大きい粒子１０７は、前記Ｖ字型構造１の曲がりによって捕まるか、偏向される。雪または雨は、前記フローチャネル３の側部にぶつかり、且つ付着する。スプレー、雨、雪からの水滴１０１、または前記Ｖ字型表面２、４、５上での凝結は、空気に対する水の高比誘電率のために、約１／８０の係数によって前記エレクトレット４の電界を低下させる。前記水滴１０１は、前記エレクトレット４に付着した粒子性微粒子１００を含むようになる。
【００４８】
前記エレクトレット４の大部分は極めて疎水性であり、その結果、前記水滴１０３が表面上でしずくになり、前記フローチャネル３の一端にある疎水性コーティング２ともう一方の端にある前記親水性光触媒５によって形成される疎水親水勾配コーティングに沿って移動する傾向がある。前記光触媒５上で水付着特性が、徐々に低付着（疎水性、すなわち、低自由表面エネルギー）から高付着（親水性、すなわち、高自由表面エネルギー）へ移動するように前記コーティング２、４、５は堆積される。この処理は、捕獲された微粒子１０７を水滴１０４と一緒に前記エレクトレット４から外側の光触媒表面まで移動させる。
【００４９】
前記外部表面上の水１０４を有する前記微粒子は、３８７ｎｍより短い波長の青色光子１１０と一緒に、光触媒の３．２ｅＶバンドギャップより上のエネルギーで、前記半導体二酸化チタンに吸収され、水反応性の水酸化イオンが前記光触媒表面５に生成される。これらは、埃粒子と反応し、様々な有機及び無機化合物を酸化する。この酸化により、前記光触媒表面５上のバクテリア、菌及びウイルスを殺すことができる。これは、また、芳香族炭化水素または臭気生成バクテリアまたは菌を直接酸化することにより脱臭に導く。
【００５０】
図１に示される電極は、光触媒、または触媒的表面を有する。光１１５は、水素及び水酸化イオンが、前記通気孔の表面水１０４中、または前記通気孔の表面上の電解質光触媒フィルム５中の電極１１１、１１２の表面上に生成されるのを誘導する。
【００５１】
この光触媒プロセスは、前記２つの電極１１１、１１２間での光起電力差、化学物質濃度差、湿気差のさまざまな効果で、前記２つの電極１１１、１１２間に電圧を生成する。十分な光と効率的な設計によって、これらの電圧は、電気電源または診断プローブとして使用可能であり、例として前記通気孔の相対湿度の測定、空気フロー中で見つかる化学物質の検知、及び露光量の検出が挙げられるが、これらに限定されるものではない。
【００５２】
電池などの電源１１３からの電圧は、前記２つの電極間で誘発され、前記電極間でのイオン１１４の移動の電気浸透圧ドライバーを作り、且つ、前記通気孔の中または外に水１０３、１０４を移動するために使用することが可能である。電圧を、定期的にパルスさせ、前記光触媒上で光によって生成されたものと類似する酸性の化学物質を生成して、電気化学的に前記通気孔１の表面を洗浄することができる。また、前記電極１１１、１１２間のフィルムで、熱、光、または液晶光偏光を生成することも可能である。
【００５３】
図２Ａにおいて、ゴーグルの内部図が示される。前記ゴーグルは、ウレタンまたはポリカーボネートのプラスチックレンズ１３、シリコーンゴムのフレーム１１、１５、及びポリプロピレンのフェースガスケット１２で形成される。これらの材料の多くは、シリコーンゴム、ポリカーボネートプラスチック及びポリプロピレンなどのエレクトレットである。屈折率変化を有する材料の薄層が通常、前記レンズ１３の上にコートされ、反反射特性が与えられる。
【００５４】
前記レンズの内外の表面は、前記レンズ１３の中央部分で疎水性コーティングが施され、前記レンズの中央部分が更に疎水性にされる。顔接触ガスケット１２は、その内部には疎水性コーティング、外部には親水性コーティングがコートされる。前記レンズ及びフェースガスケットの拡大図３３が、図４に示される。図２Ｂにおいて、前記通気孔及びレンズの断面が示される前記ゴーグルの側面図が示される。内部レンズ１８及び外部レンズ２０を有するレンズ１７は、二重レンズ１７を形成する。ポリカーボネートプラスチックの二重レンズ１７は、独立気泡ウレタン発泡体２３、３８によって、絶縁する空気ギャップ１９をレンズ間に作るように分離配置され、ウレタンまたはシリコーンゴムのゴーグルフレーム１６、２２によって枠付けられる。下側の通気孔２６は、断面図であるが、エレクトレットである、シリコーンゴムから成型されたＶ字型構造を有する。前記上部通気孔３６は、前記フレーム１６の上部に形成される。前記通気孔チャネル３６は、プラズマ重合されたポリ四フッ化エチレン（ＰＴＦＥ）でコートされ、前記フレーム及び前記通気孔チャネル３６の内部上で疎水性表面が得られ、また、前記通気孔チャネル入口及び前記通気孔２６の外側上では二酸化チタンコーティングがある。前記フェースガスケット３７、２８が、前記通気孔チャネル３６を覆っているのが図示される。前記通気孔横断面の拡大図が、図３に示される。
【００５５】
図２Ｃは、前記ゴーグル通気孔入口３１の底面図である。前記フレーム３０は、光触媒で被覆され、入口チャネル３１を有する。前記フェースガスケット３２は、前記フレーム３０の外部表面にある。
【００５６】
図３において、前記ゴーグル通気孔とレンズの拡大断面側面図が示される。前記ゴーグルフレーム５１、６６は、スペーサ発泡体５４、６７で内側と外側のレンズを離して保持し、絶縁空気容積４９を形成する。前記外側レンズ５０は、図４に示す様式で疎水性及び親水性のコーティング５２が施される。前記内側レンズは、図４に示すものに類似した、または同じ様式で、疎水性及び親水性のコーティング５２が施される。前記フレーム中に形成されるか、ゴーグルまたはフェースガスケットのフレーム５１、６６へ挿入されるのが空気通気孔である。下側及び上側の空気通気孔が示される。
【００５７】
使用中、気温が３７°Ｃを下回ると、空気は、下側の通気孔チャネル４６を通り、前記Ｖ字型５５から移動した体熱で加熱される。前記Ｖ字型は、使用者と接触するフェースガスケット５８、及び前記Ｖ字形通気孔構造５５への熱伝導を通じて暖められる。加熱された空気は、その浮力のために内側レンズ４８及び使用者の顔を通って上昇し、熱と水分を使用者の顔から移動させる。この熱及び水分の除去は、大部分の使用条件下で前記内側レンズ４８が曇るのを防ぎ、使用者に快適さを提供する。
【００５８】
内側または外側レンズ４８、５０、フレーム６６、５１、または通気孔５５、６８で凝結が起こると（ゴーグルが冷やされ、且つ、レンズ４８、フレーム５１、または通気孔５５、６８よりもずっと高い温度で、内部または外部の空気が湿気で飽和している場合、前記内部レンズ５３、フレーム６９、１７４，１７５，１７１，及び通気孔５７，６２上の光触媒コーティングは濡れて、図４及び図１で示される水付着勾配のために前記レンズ４８、フレーム５１、６６、または通気孔５５、６８の周辺に水が移動される。
【００５９】
暖かい湿った空気は、上部のＶ字型フローチャネル６４を通って、前記ゴーグルの最上部から出る。上部Ｖ字形通気孔６８は、エレクトレットのシリコーンゴムから形成される。前記内側レンズ４８に隣接する前記通気孔６８の内側で、前記通気孔は、プラズマ重合されたポリ四フッ化エチレン等の疎水性コーティング６５を有する。前記内側レンズ４８に隣接する上部フェースガスケット内部表面６１、６２は、プラズマ重合されたポリ四フッ化エチレンのような疎水性コーティングで被覆される。前記通気孔５５、６８の外部表面は、ポリシリコーンゴム結合剤コーティング５７、５９中に３０ナノメートルの二酸化チタン微粒子が懸濁されたもので被覆される。
【００６０】
前記Ｖ字形通気孔６８、５５は、直線入射のものを遮断するように設計されている。前記通気孔へ流れ入る空気流中のより小さい微粒子は前記エレクトレット・コーティング５６、６３の静電場によって前記Ｖ字型の壁に引きよされるか、前記Ｖ字型の材料５５、６８が前記微粒子を引き寄せ、保持する。上記の説明及び図１で図示されるプロセスにおいて、前記通気孔６８、５５は洗浄及び脱臭される。
【００６１】
前記フレーム５１、６６、フェースガスケット５８、６２及び前記通気孔表面４７、６４のエレクトレット・シリコーンゴム内部表面は、プラズマ重合されたポリ四フッ化エチレン６０、１７２、６５、１７３によって被覆される。前記フレーム５１、６６、通気孔５５、６８及びガスケット５８、６２の外側の周囲表面は、３０ナノメートルの酸化チタン微粒子及びポリシリコーン・ゴム結合剤、６９、１７１、５７、１７６、６２、１７７によって被覆される。疎水性コーティング６０、１７２、６５、１７３の表面上及び内部表面上のエレクトレット５６、６３上の光触媒６９、１７１、５７、１７６、６２、１７７の非連続的コーティングは、望ましい湿潤及び光触媒性質を有する。これらに限定されるわけではないが、無規則な繊維構造または開放気泡等の他の構造も、疎水性、エレクトレット、及び光触媒表面の隣接エリアを有する前記Ｖ字型構造の代替となりえる。
【００６２】
図４は、前記内部レンズ及びフェースガスケットの拡大図である。
前記エレクトレット・レンズ８９はポリカーボネート、または、ウレタンプラスチックで作られ、織布エレクトレットポリプロピレン８７のフェースガスケットが示される。前記レンズ上の疎水性コーティングは、円９０で示され、前記レンズ８９の中央表面部分で空間的に高集中するようにコートされる。このコーティング９０は、前記レンズの非反射コーティングの最後のコーティングに混合されるか、またはその上にコートされてもよく、または光学的効果が極めて小さく、付着を減少させる（疎水性）のに十分な原子的に薄いものであってもよい。
【００６３】
たとえば、黒網点９１として表される、二酸化チタンコーティングは、前記レンズ８９の周辺部により高い空間的集中を有するものであるが、これは、ごくわずかな光学効果しか有しないが前記レンズ８９の中央表面エリアに向かって付着（親水）が上がるのに十分な薄さになるように、最後の反射防止コーティングに混合するか、前回の疎水性コーティング９０の上にコートされる。これらの疎水性及び親水性コーティング９０、９１は、前記レンズ８９の内部エリア上の低付着（疎水性）から周辺部での高付着（親水性）の水付着勾配を作るように配置される。
【００６４】
フェースガスケット８７、９４上では、絹またはＣｏｏｌ  Ｍａｘ（登録商標）（ＤｕＰｏｎｔ  Ｃｏｒｐ．，１００７  Ｍａｒｋｅｔ  Ｓｔｒｅｅｔ，Ｗｉｌｍｉｎｇｔｏｎ，ＤＥ，１９８９８）の水ウィッキング布、または織布ポリプロピレンで、前記ゴーグル内部上の開放セル発泡体を通常覆っている。前記ゴーグル内部は、プラズマ重合されたポリ四フッ化エチレン（ＰＴＦＥ）（疎水性）またはシリコーンゴム（疎水性及びエレクトレット）等の低付着材料８８、９２でコートされる。前記ガスケットの外側周囲エリア上で、前記布８７、９４は、ＴＰＸｓｏｌ（Ｇｒｅｅｎ  Ｍｉｌｌｅｎｎｉｕｍ，  Ｉｎｃ．，２０５３９  Ｅ．Ｗａｌｎｕｔ  Ｄｒ．，Ｓｕｉｔｅ  Ｂ．Ｄｉａｍｏｎｄ  Ｂａｒ，ＣＡ，９１７８９）のようなバインダによって保持される二酸化チタン微粒子８６、９３によってコートされる。
【００６５】
前記疎水性コーティング８８，９２の表面の被覆率は、前記ガスケット８７、９４の周辺部に向かって徐々に減り、一方、前記親水性コーティング８６、９３の表面の被覆率は、前記ガスケット８７、９４の周辺部に向かって徐々に増える。これは、前記ガスケット８６、９４に渡って、水付着勾配を作るものであるが、すなわち、前記光触媒のバンドギャップより上の光（アナターゼ型二酸化チタンの３．２ｅＶ）によって照らされるときに、前記ガスケット８７、９４の周辺部で高付着及び内部で低付着を作る。凝結水は、前記低付着表面から前記高付着表面に移動することになる。前記レンズの中央エリアから前記ゴーグルの周辺部に凝結水を移動させることにより、前記レンズ８９を通して、視感度が改良される。
【００６６】
水移動の際、前記レンズ・エレクトレット８９及びガスケット・エレクトレット８７によって引き寄せられ、保持された微粒子も一緒に取り去られる。この例ではウレタン、またはポリカーボネートレンズ８９及びポリプロピレン織物、またはシリコーンゴム被覆された絹またはＣｏｏｌ  Ｍａｘ（登録商標）９４、８７は、エレクトレットである。前記ガスケットの周辺部へ前記ガスケットの肌接触エリアから前記凝結水と汗を移動させることにより、空気が肌の表面にとどくようになり、使用者の快適さが改善される。前記ガスケット８７、９４の周辺部において、水は空気中に蒸発することができる。
【００６７】
水と一緒に移動されたバクテリア、埃、ウイルス、菌及び体油のような汚れは、前記光触媒表面と接触する。前記光触媒が青色光で照らされたときに電子正孔対が生成される。自由電子は、前記光触媒の表面に移動して、白金または酸化チタンのような表面触媒と一緒に、電解水は、前記光触媒及び水の表面上にで水酸化イオンを生成する。前記水酸化イオンは、前記汚れを酸化し、その結果、前記レンズフェース８９及び接触ガスケット８７、９４の周辺部を洗浄する。
チタン、二酸化チタン、酸化スズ、亜鉛華、Ａｕ、Ｐｔ、Ｐｄ、Ｎｉ等の材料の薄膜電極は、図４で示すレンズ８９上に印刷することが可能である。これらの電極９５、９７、９９は、光触媒活性または接触反応表面を有する。光誘導された水素及び水酸化イオンが、表面水または前記レンズ８９の表面上の電解質光触媒フィルムの表面９ｌ中の電極９５、９７、９９の表面上に生成される。
【００６８】
この光触媒プロセスは、様々な効果（例えば直接の光起電力電圧、電極間の化学物質濃度差または湿気差）から、前記中央の電極９７及び周辺部電極９５、９９間の電圧を作る。十分な光及び効率的な設計によって、これらの電圧が、電力源または症候プローブとして、例えば、前記レンズ８９上の相対湿度の測定、空気フローで遭遇する化学物質の検出、光露出の検出と反応のために使用可能である。
【００６９】
多種多様な電極９５、９７、９９及びパターンを、さまざまな機能のために前記レンズ９０上に配置することができる。電池等の電源９６、９８からの電圧は、２つの電極間で維持され、前記電極間のイオン移動のエレクトロ浸透圧性ドライバーを生成し、前記レンズ８９の中央領域から周辺部ウィッキングガスケット８７、９４に水を移動させることができる。
【００７０】
前記電圧は、定期的に変調可能で、前記光触媒９１上に光によって生成されるものと類似する酸性の化学物質を生成することにより、電気化学的に前記レンズ８９の表面を洗浄する。また、水除去、画像表示、インジケータ、及び光ろ過のために、電気及びイオン電流によって前記電極９５、９７、９９間の膜において、熱、光、反射率または光吸収の変化、液晶光分極などを生成することが可能である。
【００７１】
図５は、布の繊維の横断面図である。前記繊維７０は、前記布の内部にエレクトレットゾーン７４、外部表面の一方上に親水ゾーン７３、及びもう一方の外部表面上に疎水ゾーン７２を有するように被覆する。前記エレクトレットゾーン７４は、ポリプロピレン、ポリスチレンまたはポリフツ化ビニリデン（ＰＶＦ２）等の繊維によって生成可能で、これらは荷電されたエレクトレットであるか、シリコーンゴムのようなエレクトレットで被覆されたものである。プラズマ重合されたポリ四フッ化エチレンのような膜によって前記布の１表面上をコートすることにより前記疎水層７２が生成される。前記疎水性コーティング７２の反対表面上に二酸化チタン微粒子（たとえば３２ｎｍの直径）のような光触媒が、ナフィオンのモノマーがアルコール溶媒（Ｓｏｌｕｔｉｏｎ  Ｔｅｃｈｎｏｌｏｇｙ，  Ｉｎｃ．，ＰＯ  Ｂｏｘ  １７１，Ｍｅｎｄｅｎｈａｌｌ，ＰＡ，１９３５７）  の中に溶かされた水溶液が前記繊維の表面上へスプレーされ、前記繊維７０にコートされる７３。
【００７２】
この構造の他バリエーションでは、荷電されたエレクトレットであって、疎水性である、ポリプロピレンまたはポリフツ化ビニリデン（ＰＶＦ２）等の繊維質または多孔性の膜材料７０の使用を含むが、前記布または膜７０の一方の表面はシリコーンゴムまたはフルオロカーボン・バインダと一緒に二酸化チタン微粒子で塗布される７３。
【００７３】
前記布７０は、衣服の外側布などの様々な用途に使用可能であるが、これに限定されるものではない。前記布は、肌に接触してもよいし、Ｃｏｏｌ  Ｍａｘ（登録商標）の布またはＴｈｉｎｓｕｌａｔｅ（登録商標）（ＤｕＰｏｎｔ  Ｃｏｒｐ．，１００７  Ｍａｒｋｅｔ  Ｓｔｒｅｅｔ，Ｗｉｌｍｉｎｇｔｏｎ，ＤＥ，１９８９８）のような断熱材の充填による層によって肌から離されてもよい。
【００７４】
空気７１は、前記布７０を通して拡散し、水蒸気が使用者の皮膚表面から離れ、空気フローが前記衣服の内外に流れ、拡散するのを可能にする。この拡散は、前記衣類の着用者に衣類の快適さを維持させる。
【００７５】
前記空気フロー７１と一緒に、また表面で通常接触する、埃、微粒子、バクテリア、菌及びウイルス８３が布に侵入する。それらは、前記エレクトレット表面７４に引きつけられて、前記布７０において保持される。外部温度が低く、使用者が高湿度割合で放出している場合、前記布シェル内部は露点に至り、水７７、７９、８２が前記疎水性７２、及びエレクトレット７４の表面で凝結する可能性がある。雨及び雪から、水７７、７９、８２が前記エレクトレット７４及び疎水性表面７２に跳ね入る、または吹き込むことがある。
【００７６】
前記凝結水滴７７、７９、８２は、前記エレクトレット７４と疎水性表面７２によって保持される埃、炭化水素及び微粒子７５、７６のような汚れ８３をエレクトレット７４が拾い上げる電界強度を低下させることになる。前記微粒子７８、８０を含んでいる水滴７７、７９は、水付着勾配によって、より高い付着の光触媒外側ゾーン７３方向に動かされる。外部表面７３上で、水８２は蒸発し、汚れ８１は光触媒７３と接触して残されることができる。
【００７７】
前記光触媒７３のバンドギャップより上で吸収される太陽光線たは青色光により電子正孔対が、また表面触媒及び表面の接触水８２による電気分解によって化学的活性表面水酸化物が生成される。これらの水酸化物は、光触媒表面上にある汚れを酸化させ、その結果、汚れ８１を分解して、前記布シェルの表面７０を殺菌及び洗浄する。
【００７８】
図６において、エアークリーナ配置が、示される。この配置において、図５に記載される布１２２、１２３、１２４が、湿分送出源１２７、１２５、１２６、１２８上に置かれる。たとえば、布１２２、１２３、１２４は、３つの層、光触媒層１２２、エレクトレット層１２３及び疎水層ｌ２４、から形成される。疎水層ｌ２４は、湿分１２７の供与源の最も近くに配置される。前記光触媒層は、青色光１３３の供与源の近くに配置される。湿分供与源１２７は、膜、または水保持バリヤー１２５であり、前記バリヤー１２５の後ろに水貯蔵１２６、１２８を有する。適切な膜及び水バリヤー１２５は、例えば、プラスチック被覆されたガラス繊維でサポートされた約０．００２インチの厚さのウレタン膜、または多孔性のアルミナ（ａｌｕｍｎａ）  チューブまたはプレート、毛管のシリコーンチュービング、または多孔性の素焼鉢の上の０．００２インチの厚さのシリコーン膜である。
可能な代わりの配置では、３つの層（光触媒層１２２、エレクトレット層１２３及び疎水層１２４）の布を使用し、前記疎水層１２４と直接接触する水１２８を有する水バリヤー膜１２５を形成する。
【００７９】
青色光源は、３．２ｅＶを超える光子の光を生成するように設計された蛍光灯１３３、または３．２ｅＶ以上の光量子を生成する発光ダイオードである。前記光源１３３は、光触媒を照らすために前記布の光触媒層１２２上に配置される。反射材及び空気ダクト１２０が、前記光触媒１２２上の空気１３２、１２１を排出するために光源１３３の後ろに配置される。
【００８０】
代替の配置では、湿分供与源１２５、１２６、１２８を有する２つの光触媒布１２２、１２３、１２４を有するものであり、これらは互いに平行に置かれ、その間に空気フローと光チャネルが形成される。空気１３２、１２１は、前記湿分供与源１２７を通りぬけ、前記布１２５、１２６、１２８を通って、チャネル１２１から外へ流れる。代わりに配置では、前記布でカバーされる、保持膜を有し、水で充満されたチューブまたは容器で、装飾的なエアークリーナを作るものである。太陽光線または人工光１３１は、前記布の光触媒１２２を照らすことができる。空気１３２、１２１は光触媒表面をわたって流れる。
【００８１】
前記光触媒表面上の空気フローチャネルの幅及び長さは、特定の用途で空気フロー１３２、１２１を殺菌及び洗浄するために必要な拡散とろ過を最適化するものを選択できる。空気１３２、１２１は、前記光触媒を加熱する光１３１、及び煙突中の前記光触媒を通る空気フロー１２１からの熱対流、または、前記光触媒１２２の表面に渡る自由表面対流を使用して流れる。空気フロー１３２、１２１は、また前記光触媒表面１２２全体にまたは通じて圧入することができる。
【００８２】
前記湿分供与源１２５、１２６、１２８は、拡散１２７によって、または低空気フロー速度１２１の場合は前記湿分供与源１２５、１２６、１２８から前記布を通って、前記光触媒１２２の表面に水蒸気を供給する。代替の湿分供与源は、圧電性電気のアトマイザのような入空気フロー１３２への湿分スプレー、及び前記光触媒表面１２２に流入するのでもよい。この湿分送出方式は、前記フィルタを洗浄するために、定期的に使用して、前記疎水性表面１２４及びフィルタのエレクトレット表面１２３上で水滴を作る。
【００８３】
空気ろ過及び加湿が必要な場合は、散水システムを使用してもよい。前記散水は、前記光触媒１２２の最適湿度を維持するために相対湿度センサによって制御されてもよい。前記散水システムは、水源からの過剰な塩分、また除塵が主な目的でないシステムでは埃が蓄積される可能性がある。
【００８４】
純水蒸気がポンプまたは制御なしの非能動的な操作と一緒に純水の蒸気が所望される場合は、水保持膜１２５の送出システムが使用できる。前記膜システムは、前記布疎水性表面１２４上で水を凝結させることによって定期的に洗浄が可能である。これは、定期的に露点に達するまで前記布の外部を冷却するか、外部冷却により空気フローを妨げるか、前記布１２２、１２３、１２４中の露点まで前記水貯蔵を加熱することによって達成できる。
【００８５】
水保持膜方式は、また、より高い水利用効率を有するのが可能であるのは、湿分が前記光触媒の下で拡散し１２７、静電引力によって引き寄せられらた汚れ１２９と一緒に局部的な高湿度を作るからであるか、または前記布１２２、１２３、１２４の表面上の流体境界層に拡散するためである。このように、汚れ１３０を抽出して、前記光触媒１２２の表面上で最適な湿気を維持することを達成するために空気フロー全体を湿らす必要がない。
【００８６】
作動中において、前記エアークリーナは光源１３３（発光ダイオード等）、熱対流空気フロー１２１、またはファン、及び水が充満された貯蔵１２８を有する。湿分は、前記液体保持膜を通って前記光触媒の表面に拡散する１２７。気流１３２中には、微粒子及び汚れ１３０（埃、バクテリア、菌、ウイルス、アンモニア、炭化水素、芳香族炭化水素及び油等）がある。これらの汚れ１３０は、前記布の表面を通って流れる。荷電微粒子１２９は、前記エレクトレット１２３の反対に荷電されたエリアに引きつけられる。
【００８７】
平らなエレクトレット１２３は、正及び負の電荷の交互のエリアで荷電される。大部分がミクロン以下の直径の微粒子は、荷電されている。前記微粒子は、前記布のエレクトレットゾーン１２３に収容される。アンモニアのようなガス状汚れ１３０は、前記光触媒１２２の表面に吸収される。活性炭は、ガス状汚れ質を吸収するバッファとして、前記光触媒１２２に隣接させるか、これに混ぜて添付してもよく、前記光触媒１２２が長期にわたって汚れを安定して分解することを可能にする。
【００８８】
前記光触媒１２２のバンドギャップより上で吸収される太陽光線または青色光１３１は、電子正孔対と、表面触媒と水に接触する表面による電解によって化学的活性の表面水酸化物とを生成する。これらの水酸化物は、前記光触媒表面に付着している汚れ１３０を酸化し、それにより、前記汚れを分解し、前記布１２２の表面を殺菌及び洗浄する。
【００８９】
定期的に液状の水が、エレクトレット表面１２３上に凝結されるか、押しつけられるかし、これにより前記微粒子１２９が、前記親水光触媒表面１２２に運ばれる。前記微粒子１３０の一部はガス（炭酸ガス及び水等）に分解されるが、残留する固形はかたまりになるか、前記光触媒１２２の表面を離れて落ちるか、または機械的に取り除かれる。このエアークリーナは、多種多様な用途に使用可能であるが、例えば、建物空気ろ過、動物かご空気脱臭、猫用のトイレの空気脱臭及び装飾物（人工植物、美術品及び噴水）などがあるが、これらに限定されるものではない。
【００９０】
図７において、図５に示される布が、人用のアパレルにおいて使用可能である。図７において、ジャケット１４３、１４６の布の外側シェルは、疎水性、エレクトレット、及び光触媒の層から作られる。前記光触媒は、ＵＶフィルタとして作用して、下にある布及びヒトを保護する。前記ジャケット１４６ののフード１４０及び呼吸フィルタ１４１もこの布を使用することができる。前記呼吸フィルタ１４１において、人は前記フィルタを通して呼吸でき、前記エレクトレットは小さい埃粒子を捕らえる。
【００９１】
人からの空気が前記疎水性表面及びエレクトレット表面上で凝結すると、微粒子は布の外部へ運ばれる。使用中、及び使用後に、太陽光線または青色光によって前記布の外部表面が殺菌され、洗浄される。疎水性、エレクトレット及び光触媒の層化された布を絆創膏１４４において使用することができる。
【００９２】
活性炭付きの光触媒布を、臭気を吸収して、衣類１４６、１４３を脱臭するために、腕の下のエリア１４２等の特定の場所において使用することができる。前記アパレルの特定エリア１４６、１４３、１４７、１４８、１４５、１４１、１４０で更に高い空気フローが必要な場合、布の代わりに、図１に示される、防弾服などにある通気孔構造が使用可能である。前記光触媒布の水移動機能は、一般に、衣服全体において能率的に皮膚表面から湿気を移動できる。
【００９３】
手袋１４５または靴下では、光触媒布の外部シェルを有して、脱臭、水蒸気及び汗が手から除去されることを可能にし、手を乾燥させ、前記手袋１４５を殺菌することができる。前記手袋１４５の外側に水と汚れを移動させる、水付着勾配プロセスによって、使用者の快適度を向上させ、細菌の及び菌食の栄養源を繁殖場所である手袋内部の表面上から減らす。
【００９４】
アパレルのズボン１４７は、前記光触媒布の外側の布シェルを有することができる。特に使用者が水に足を踏み込むか、またはズボンに排尿したときに、水移動行作用は使用者の快適度を向上させる。液体は、外側表面に移動され、徐々に蒸発し、青色光への露出により殺菌される。靴１４８の呼吸部分は、水移動機能を有することができ、着用する間は、前記靴１４８を脱臭及び殺菌するために光触媒効果を使用し、また着用されていない間は青色光への露出を使用する。
【００９５】
図８は、図５に示される布を使用して作成され、図７の人に使用された絆創膏が示される。図８において、粘着性のコーティング１６０が、布１６１の疎水性側上のエリアに適用される。粘着剤の選択には、粘着剤１６０が前記疎水性表面１６０に接着して、更に前記人のためにいかなるバクテリア、微粒子、菌及びウイルスに対し周辺部を接着及び密封すると同時に、前記肌への損害を最低限にし、且つ前記肌が湿気、二酸化炭素を放出し、酸素を得ることを可能にするものであることが必要とされる。これらの接着剤の例は、例えばカラヤゴム、ガムアカディア 、ローカストビーンガム、多糖ガム、改質多糖またはポリアクリルアミドを含む親水性ポリマーが挙げられるが、これらに限定されるものではない。
【００９６】
粘着性の周辺部１６０を有する疎水表面１６１が、使用者の肌または創傷に置かれる。最も光触媒性の表面１６４は、外側にある。前記光触媒１６４は、また、前記肌または創傷に対するＷブロッキング保護体として作用することができる。絆創膏１６４、１６３、１６２、１６０の外側は濡らして、水に浸しても、水は前記絆創膏に浸透しない。前記絆創膏１６４、１６３、１６２、１６０の下の液状血液および体液は、疎水親水勾配によって前記布の外側に引き寄せられる。
【００９７】
前記絆創膏の外側表面１６４上では、綿ガーゼのような従来布吸収材を使って前記流体を吸収する。前記絆創膏１６４、１６３、１６２、１６０の目的は、非可逆的な方法で前記創傷から余分な液体を排出し、汚れた液体が前記創傷に戻らないようにすることである。前記光触媒コーティングは、前記表面の殺菌を達成するのに十分な程度に、前記絆創膏１６４、１６３、１６２、１６０の全体に薄く拡散されるが、また、外側に向かって前記の光触媒コーティング勾配を有して液状流体の選択的な移動を達成する。
【００９８】
前記最も疎水表面１６１（ポリテトラフロロエチンまたはポリプロピレン）を前記創傷と接触させることにより、最も粘着係数の低い表面が創傷に触れることになる。このように、絆創膏が創傷に付着して、創傷の治ゆ過程を妨げることが最小限になる。前記絆創膏１６４、１６３、１６２、１６０は、最小限の抵抗で創傷から取り除かれる。埃、バクテリア、ビールスおよび菌は、前記絆創膏において使用される布のエレクトレット層１６３によってろ過され、青色光への露出効果によって殺菌される。前記布の孔サイズは、バクテリアおよび菌芽のものよりも小さくなるように設計し、これらが膜１６２、１６３、１６４を通り抜けないようにすることが可能である。
【００９９】
分子的に選択性透過膜（分子に対し選択透過性を有する細孔寸法または材料の分子間スペース）、例えばケイ素ゴムまたはウレタンゴム膜があるが、大型分子、バクテリア、菌及びウイルスにバリヤを達成するためにこの布の疎水層１６２でも可能である。選択性透過膜１６２は、高拡散速度を得るために十分に薄いもので（典型的には５０ミクロン未満）、前記布の残部は膜のために機械的支持体を提供する。
【０１００】
布１６３、１６４の外層の自己クリーニング特性は、内膜１６２に対する保護バリヤーとして、また、前記選択性透過膜バリヤー１６２が破られる場合、二次的バリヤーとして有用である。光触媒は、青色光にそれを自動撮影によって殺菌するようにするために選択性透過膜１６２によって組み入れられることができる。これらの布１６２、１６３、１６４はまた、おしめにおいて使用可能である。
【０１０１】
本発明は特定の実施形態を参照して説明されるが、添付の発明の範囲で定義される本発明の趣旨から逸脱することなしに本発明を変形、変種することが可能である。
【図面の簡単な説明】
【０１０２】
【図１】図１は、Ｖ字形ゴーグル通気孔、エレクトレット基板及び疎水ゾーンでの二酸化チタンのコーティングの横断面図である。
【図２Ａ】図２Ａは、レンズ及びフェースガスケット上の疎水、エレクトレット、及び光触媒ゾーンを有するゴーグルの内部の図であるを有する。
【図２Ｂ】図２Ｂは、疎水性及びエレクトレット・コーティングが施されたＶ字形通気孔を有するゴーグルの側面図及び断面図である。
【図２Ｃ】図２Ｃは、光触媒コーティングを有するＶ字形通気孔を示す、前記ゴーグルの下面図である。
【図３】図３は、前記Ｖ字形通気孔及びレンズ中の疎水性及びエレクトレット表面を示す前記Ｖ字形通気孔の拡大側面断面図である。
【図４】図４は、前記レンズ及びフェースガスケットの内部表面の拡大図である。
【図５】図５は、前記光触媒、エレクトレット及び疎水性エリアの被覆繊維構造の拡大された横断面図である。
【図６】図６は、人工の光源及び膜水蒸気供給システムを使用した空気及び脱臭ろ過システムの分解断面図である。
【図７】図７は、光触媒、エレクトレット、疎水性布または構造の利用エリアを示す、人が着用している衣類アパレルを示す。
【図８】図８は、光触媒、エレクトレット、疎水性布または構造を使用しているガーゼ付絆創膏を示す。
【符号の説明】
【０１０３】
１…通気孔構造
２…疎水性コーティング
３…空気フローチャネル
４…エレクトレット・コーティング
５…光触媒及び親水性コーティング
１００…水滴内の微粒子
１０１…疎水性表面上に高接触角を有する水滴
１０２…光触媒外側表面上に沈積した微粒子
１０３…光触媒表面上の低水滴接触角
１０４…光触媒外側表面上の低水滴角
１０５…流入する空気フロー
１０６…空気中の微粒子
１０７…エレクトレット表面を引きつけられ、保持された微粒子
１０８…Ｖ字型フローチャネル内の空気フロー
ゴーグル内部の空気フロー
光触媒表面と相互作用する青色光子
１１１…負極
１１２…正極
１１３…電圧源
１１４…電解質中の水素
１１５…電極上の光触媒を励磁している光子
１１…光触媒で被覆されたゴーグルのフレーム
１２…光触媒で被覆された布製の顔接触ガスケット
１３…疎水フィルム及び光触媒で被覆されたレンズ内部
１５…光触媒で被覆されたゴーグルのフレーム
３３…レンズ及びガスケットの内部の拡大図
１６…光触媒が被覆されたゴーグルのフレーム
１７…光触媒で被覆されたゴーグルの外側レンズ
１８…内側レンズ
１９…レンズ間の空気ギャップ
２０…光触媒で被覆された外側レンズ
２２…ゴーグルのフレーム
２３…レンズを分離するスペーサ発泡体
２６…Ｖ字形通気孔構造
２８…フェースガスケット
光触媒で被覆されたフェースガスケット
Ｖ字形通気孔構造
光触媒で被覆されたフェースガスケット
レンズを分離するスペーサ発泡体
３０…光触媒で被覆されたゴーグルのフレーム
３１…光触媒で被覆されたフローチャネル入口
３２…光触媒で被覆された内部フェースガスケット
３４…断面の切断線
４６…疎水フィルムで被覆された内部通気孔フローチャネル
４７…空気フローチャネル
４８…内部レンズ
４９…レンズ間の空気量
５０…外部レンズ
５１…ゴーグルフレーム
５２…レンズの外部上の光触媒コーティング
５３…レンズの内部上の光触媒コーティング
５４…内外レンズ間の発泡体スペーサ
５５…Ｖ字型通気孔の構造
５６…Ｖ字型フローチャネル上のエレクトレット・コーティング
５７…Ｖ字型の外部上の光触媒コーティング
５８…光触媒被覆フェースガスケット横断面
５９…Ｖ字形通気孔の外部上の光触媒コーティング
６０…疎水フィルム
６１…フェースガスケット
６２…光触媒が被覆されたフェースガスケット
６３…Ｖ字型上のエレクトレット・コーティング
６４…空気フローチャネル
６５…Ｖ字形通気孔の内部上の親水性コーティング
６６…ゴーグルフレーム
６７…発泡体スペーサ
６８…Ｖ字型の構造
６９…フレーム上の光触媒コーティング
１７１…フレーム上の光触媒コーティング
１７２…フェースガスケット上の疎水性コーティング
１７３…フェースガスケット上の疎水性コーティング
１７４…内側のフレーム上の光触媒コーティング
１７５…内側のフレーム上の光触媒コーティング
１７６…フェースガスケット上の光触媒コーティング
１７７…フェースガスケット上の光触媒コーティング
８６…光触媒微粒子
８７…フェースガスケット・エレクトレット基板
８８…疎水微粒子
８９…レンズ・エレクトレット基板
９０…疎水微粒子
９１…光触媒微粒子コーティング、原子またはゾーン
９２…疎水微粒子コーティング、原子またはゾーン
９３…光触媒微粒子
フェースガスケットエレクトレット基板
電極
電圧源
電極
電圧源
電極
７０…繊維基質
７１…空気
７２…疎水性コーティング
７３…光触媒親水性コーティング
７４…エレクトレット・コーティング
７５…エレクトレットに引きつけられた微粒子
７６…エレクトレットを引きつけられ、保持された微粒子
７７…水滴
７８…疎水性表面上の玉状水滴中の微粒子
７９…水付着勾配に沿って移動する水滴
８０…水滴に含まれる微粒子
８１…光触媒表面上の水滴中の微粒子
８２…光触媒表面上で低接触角を有する水滴
８３…微粒子
１２０…光反射材
１２１…流出する空気フロー
１２２…布、または開放セル発泡体上の外側の光触媒被覆繊維
１２３…繊維布の静電層
１２４…布の多孔質表面またはフィルム膜の疎水層
１２５…水蒸気浸透膜
水貯蔵タンク
水蒸気拡散
１２８…タンク中の水
１２９…エレクトレット表面上に捕らえられた微粒子
１３０…光触媒表面上の微粒子
１３１…青色光子
１３２…微粒子及び臭気を有する流入空気フロー
１３３…青色光源
１４０…フード外側
１４１…フェース呼吸フィルタ
１４２…脇の下通気孔エリア
１４３…外側の布アームスリーブ
１４４…腕上の絆創膏
１４５…手袋外側
１４６…胴部外側布
１４７…ズボン外側布
１４８…ブーツ上面と側面
１６０…接着剤コーティング
１６１…疎水性被覆繊維
１６２…疎水層
１６３…エレクトレット層
１６４…光触媒層
【図１】
2008517634.tif 000002
【図２Ａ】
2008517634.tif 000003
【図２Ｂ】
2008517634.tif 000004
【図２Ｃ】
2008517634.tif 000005
【図３】
2008517634.tif 000006
【図４】
2008517634.tif 000007
【図５】
2008517634.tif 000008
【図６】
2008517634.tif 000009
【図７】
2008517634.tif 000010
【図８】
2008517634.tif 000011
【国際調査報告】
2008517634.tif 000012